(57)【要約】【課題】多種多様のコンテンツからキーコンテンツに対する関連性のあるコンテンツを簡単に検索することができる仕組みを構築する。【解決手段】表示処理装置は、キーコンテンツとは異なる種類を含む複数種類の他のコンテンツについて、キーコンテンツに対する関連度であるコンテンツ関連度を算出するとともに、複数種類の他のコンテンツを複数のグループＧ１〜Ｇ１２に分ける。そして、表示処理装置は、キーコンテンツの表示情報Ｃ１とこのキーコンテンツの表示情報Ｃ１の周囲にグループＧ１〜Ｇ１２毎に分けて配置した他のコンテンツの表示情報Ｃ９１，Ｃ９２とを含む一覧情報であってキーコンテンツの表示情報Ｃ１の位置からグループ関連度の高い順にグループＧ１〜Ｇ１２が位置する一覧情報を表示する。【選択図】図１１
2011008694.tif 000002
【特許請求の範囲】
【請求項１】
検索のキーとなるコンテンツであるキーコンテンツの選択操作を受け付ける操作受付手段と、
前記キーコンテンツとは異なる種類を含む複数種類の他のコンテンツについて、前記キーコンテンツに対する関連度であるコンテンツ関連度を算出する関連度算出手段と、
前記コンテンツ関連度の算出にかかる項目の内容に基づいて複数種類の前記他のコンテンツを複数のグループに分けるとともに、前記キーコンテンツに対する前記グループの関連度であるグループ関連度を算出するグループ分け手段と、
前記キーコンテンツおよび前記他のコンテンツの内容を表す表示情報を生成する表示情報生成手段と、
前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示する表示制御手段と、
を備えることを特徴とする表示処理装置。
【請求項２】
前記表示制御手段は、前記グループ内において前記コンテンツ関連度の高い順に、前記他のコンテンツの表示情報を前記キーコンテンツの表示情報の近くに配置する、ことを特徴とする請求項１に記載の表示処理装置。
【請求項３】
前記キーコンテンツのメタデータと前記他のコンテンツのメタデータとを取得するメタデータ取得手段を備え、
前記関連度算出手段は、前記キーコンテンツのメタデータと前記他のコンテンツのメタデータとに基づいて、前記コンテンツ関連度を算出し、
前記グループ分け手段は、前記他のコンテンツのメタデータのうち前記グループ分けの基準となる基準項目を前記他のコンテンツ毎に特定し、前記基準項目が同じ前記他のコンテンツ同士を同一のグループとする、ことを特徴とする請求項１又は２に記載の表示処理装置。
【請求項４】
前記表示制御手段は、前記キーコンテンツの表示情報を中心として放射方向に向かって前記項目毎に分別された領域に、前記項目毎の前記他のコンテンツの表示情報を配置する、ことを特徴とする請求項３に記載の表示処理装置。
【請求項５】
前記表示制御手段は、前記グループの範囲を示すグループ範囲情報を表示する、ことを特徴とする請求項１ないし４のいずれか一項に記載の表示処理装置。
【請求項６】
前記表示制御手段は、前記グループに対応する前記基準項目を前記グループ範囲情報に含ませて表示する、ことを特徴とする請求項５に記載の表示処理装置。
【請求項７】
前記操作受付手段は、前記グループ範囲情報を非表示にする操作を受け付け、
前記表示制御手段は、前記グループ範囲情報を非表示にする操作を前記操作受付手段が受け付けた場合、前記グループ範囲表示を非表示にする、ことを特徴とする請求項５又は６に記載の表示処理装置。
【請求項８】
前記表示制御手段は、前記グループ範囲情報を非表示にする操作を前記操作受付手段が受け付けた場合、全ての前記グループ範囲情報を非表示にする、ことを特徴とする請求項７に記載の表示処理装置。
【請求項９】
前記操作受付手段は、特定の前記グループ範囲情報を非表示にする操作を受け付け、
前記表示制御手段は、前記特定のグループ範囲情報を非表示にする操作を前記操作受付手段が受け付けた場合、前記特定の前記グループ範囲情報を非表示にする、ことを特徴とする請求項７に記載の表示処理装置。
【請求項１０】
前記操作受付手段は、ズームイン操作とズームアウト操作とを受け付け、
前記表示情報生成手段は、前記表示情報として、標準表示情報とこの標準表示情報よりも情報量が多い詳細表示情報との２種類を生成し、
前記表示制御手段は、前記ズームイン操作および前記ズームアウト操作が無い場合には、前記表示情報として前記標準表示情報を用いた前記一覧情報である標準一覧情報を表示し、前記ズームイン操作を前記操作受付手段が受け付けた場合には、前記標準一覧情報に対して前記他のコンテンツ数を減少させるとともに前記表示情報として前記詳細表示情報を採用したズームイン表示を行い、前記ズームアウト操作を前記操作受付手段が受け付けた場合には、前記標準一覧情報に対して前記他のコンテンツ数を増加させるとともに前記グループ範囲表示を表示するズームアウト表示を行う、ことを特徴とする請求項５に記載の表示処理装置。
【請求項１１】
前記表示制御手段は、仮想球面上に前記一覧情報を配置することを特徴とする請求項１ないし１０のいずれか一項に記載の表示処理装置。
【請求項１２】
コンピュータを、
検索のキーとなるコンテンツであるキーコンテンツの選択操作を受け付ける操作受付手段と、
前記キーコンテンツとは異なる種類を含む複数種類の他のコンテンツについて、前記キーコンテンツに対する関連度であるコンテンツ関連度を算出する関連度算出手段と、
前記コンテンツ関連度の算出にかかる項目の内容に基づいて複数種類の前記他のコンテンツを複数のグループに分けるとともに、前記キーコンテンツに対する前記グループの関連度であるグループ関連度を算出するグループ分け手段と、
前記キーコンテンツおよび前記他のコンテンツの内容を表す表示情報を生成する表示情報生成手段と、
前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示する表示制御手段と、
として機能させるためのプログラム。
【請求項１３】
表示処理装置で実行される表示処理方法であって、
前記表示処理装置は、制御部と記憶部とを備え、
前記制御部で実行される、
操作受付手段が、検索のキーとなるコンテンツであるキーコンテンツの選択操作を受け付けるステップと、
関連度算出手段が、前記キーコンテンツとは異なる種類を含む複数種類の他のコンテンツについて、前記キーコンテンツに対する関連度であるコンテンツ関連度を算出するステップと、
グループ分け手段が、前記コンテンツ関連度の算出にかかる項目の内容に基づいて複数種類の前記他のコンテンツを複数のグループに分けるとともに、前記キーコンテンツに対する前記グループの関連度であるグループ関連度を算出するステップと、
表示情報生成手段が、前記キーコンテンツおよび前記他のコンテンツの内容を表す表示情報を生成するステップと、
表示制御手段が、前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示するステップと、
を含むことを特徴とする表示処理方法。
【発明の詳細な説明】
【技術分野】
【０００１】
本発明は、表示処理装置、プログラムおよび表示処理方法に関する。
【背景技術】
【０００２】
近年、ＡＶ機器のコンテンツ保存能力の拡大や機器内に留まらない機器間又はネットワーク上に存在するコンテンツとのシームレス性の拡大などにより、ユーザがアクセス可能なコンテンツ数は急速に増加してきている。そして、このようなコンテンツを選択視聴するための受信装置が開示されている（例えば、特許文献１参照）。
【０００３】
上記特許文献１の受信装置では、ユーザが所望するコンテンツを表示する場合、コンテンツ一覧表示からユーザによりコンテンツの選択操作がなされる。そして、選択されたコンテンツが機器内に蓄積されている場合は、そのコンテンツを読み出してデータ表示部に表示し、一方、選択されたコンテンツが機器の外部に存在する場合は、そのコンテンツを受信してデータ表示部に表示するものである。
【先行技術文献】
【特許文献】
【０００４】
【特許文献１】特開２００１−２９２３８３号公報
【発明の概要】
【発明が解決しようとする課題】
【０００５】
ところで、近年においては、ＡＶ機器などが備えているＨＤＤ（Hard Disk Drive）などの記憶媒体の大容量化が進んでいることにより、記憶媒体に記憶される映像音声データ（コンテンツ）の数も急激に増加している。そのため、視聴を所望する映像音声データ（コンテンツ）を検索する場合には、多くの過程を経なければならない。さらに、ネットワーク上の映像音声データ（コンテンツ）も表示対象に含めると、検索可能なコンテンツの数が膨大となってしまう。
【０００６】
従って、多種多様のコンテンツからユーザが視聴を所望する映像音声データ（コンテンツ）を簡単に検索することができる仕組みが望まれている。
【０００７】
本発明は、上記に鑑みてなされたものであって、多種多様のコンテンツからキーコンテンツに対する関連性のあるコンテンツを簡単に検索することができる仕組みを構築することができる表示処理装置、プログラムおよび表示処理方法を提供することを目的とする。
【課題を解決するための手段】
【０００８】
上述した課題を解決し、目的を達成するために、本発明の表示処理装置は、検索のキーとなるコンテンツであるキーコンテンツの選択操作を受け付ける操作受付手段と、前記キーコンテンツとは異なる種類を含む複数種類の他のコンテンツについて、前記キーコンテンツに対する関連度であるコンテンツ関連度を算出する関連度算出手段と、前記コンテンツ関連度の算出にかかる項目の内容に基づいて複数種類の前記他のコンテンツを複数のグループに分けるとともに、前記キーコンテンツに対する前記グループの関連度であるグループ関連度を算出するグループ分け手段と、前記キーコンテンツおよび前記他のコンテンツの内容を表す表示情報を生成する表示情報生成手段と、前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示する表示制御手段と、を備えることを特徴とする。
【０００９】
また、本発明のプログラムは、コンピュータを、検索のキーとなるコンテンツであるキーコンテンツの選択操作を受け付ける操作受付手段と、前記キーコンテンツとは異なる種類を含む複数種類の他のコンテンツについて、前記キーコンテンツに対する関連度であるコンテンツ関連度を算出する関連度算出手段と、前記コンテンツ関連度の算出にかかる項目の内容に基づいて複数種類の前記他のコンテンツを複数のグループに分けるとともに、前記キーコンテンツに対する前記グループの関連度であるグループ関連度を算出するグループ分け手段と、前記キーコンテンツおよび前記他のコンテンツの内容を表す表示情報を生成する表示情報生成手段と、前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示する表示制御手段と、として機能させる。
【００１０】
また、本発明の表示処理方法は、表示処理装置で実行される表示処理方法であって、前記表示処理装置は、制御部と記憶部とを備え、前記制御部で実行される、操作受付手段が、検索のキーとなるコンテンツであるキーコンテンツの選択操作を受け付けるステップと、関連度算出手段が、前記キーコンテンツとは異なる種類を含む複数種類の他のコンテンツについて、前記キーコンテンツに対する関連度であるコンテンツ関連度を算出するステップと、グループ分け手段が、前記コンテンツ関連度の算出にかかる項目の内容に基づいて複数種類の前記他のコンテンツを複数のグループに分けるとともに、前記キーコンテンツに対する前記グループの関連度であるグループ関連度を算出するステップと、表示情報生成手段が、前記キーコンテンツおよび前記他のコンテンツの内容を表す表示情報を生成するステップと、表示制御手段が、前記キーコンテンツの表示情報とこのキーコンテンツの表示情報の周囲に前記グループ毎に分けて配置した前記他のコンテンツの表示情報とを含む一覧情報であって前記キーコンテンツの表示情報の位置から前記グループ関連度の高い順に前記グループが位置する一覧情報を表示器に表示するステップと、を含むことを特徴とする。
【発明の効果】
【００１１】
本発明によれば、多種多様のコンテンツからキーコンテンツに対する関連性のあるコンテンツを簡単に検索することができる仕組みを構築することができる、という効果を奏する。
【図面の簡単な説明】
【００１２】
【図１】図１は、本発明の第１の実施の形態にかかる表示処理装置の構成を示すブロック図である。
【図２】図２は、ＴＶ番組をコンテンツとした場合におけるメタデータの一例を示す説明図である。
【図３−１】図３−１は、コンテンツの内容を表わす表示情報の一例を示す図である。
【図３−２】図３−２は、コンテンツの内容を表わす表示情報の一例を示す図である。
【図４−１】図４−１は、表示情報の表示動作の詳細に関する説明図である。
【図４−２】図４−２は、表示情報の表示動作の詳細に関する説明図である。
【図５】図５は、表示情報の表示動作の詳細に関する説明図である。
【図６】図６は、表示情報の表示動作の詳細に関する説明図である。
【図７】図７は、表示情報の表示動作の詳細に関する説明図である。
【図８】図８は、表示情報の表示動作の詳細に関する説明図である。
【図９】図９は、第１の表示モードにおけるキーコンテンツの表示情報と他のコンテンツの表示情報を配置した一覧情報の一例を示す図である。
【図１０】図１０は、表示処理装置による第１の表示モードでの表示情報の表示処理の流れを示すフローチャートである。
【図１１】図１１は、第２の表示モードにおけるキーコンテンツの表示情報と他のコンテンツの表示情報を配置した一覧情報の一例を示す図である。
【図１２】図１２は、表示処理装置による第２の表示モードでの表示情報の表示処理の流れを示すフローチャートである。
【図１３】図１３は、本発明の第２の実施の形態にかかる一覧情報の一例を示す図である。
【図１４】図１４は、一部のグループ範囲情報を非表示にした一覧情報の一例を示す図である。
【図１５−１】図１５−１は、本発明の第３の実施の形態にかかる標準表示情報の一例を示す図である。
【図１５−２】図１５−２は、詳細表示情報の一例を示す図である。
【図１６】図１６は、標準一覧情報の一例を示す図である。
【図１７】図１７は、ズームイン表示の一例を示す図である。
【図１８】図１８は、ズームアウト表示の一例を示す図である。
【発明を実施するための形態】
【００１３】
以下に添付図面を参照して、この発明にかかる表示処理装置および表示処理方法の実施の形態を詳細に説明する。なお、以下の実施の形態においては、本発明にかかる表示処理装置を、テレビジョン（Television：ＴＶ）を備えたパーソナルコンピュータ（ＰＣ）に適用した例を示すが、これに限定されることなく、表示装置などにおいて映像等を表示できるものであれば、本発明を適用することができる。本実施の形態の表示処理装置は、ユーザが複数のコンテンツから検索のキーとなるキーコンテンツおよびそのキーコンテンツに関連するコンテンツの検索を行う場合、ユーザにより当該キーコンテンツが選択されると、そのキーコンテンツとともにキーコンテンツに関連する複数のコンテンツを表示するものである。
【００１４】
［第１の実施の形態］
本発明の第１の実施の形態を図１ないし図１８に基づいて説明する。まず、表示処理装置１００の機能構成について説明する。図１は、本発明の第１の実施の形態にかかる表示処理装置１００の構成を示すブロック図である。図１に示すように、表示処理装置１００は、電子番組表記憶部１５０と、録画番組記憶部１６０と、グループ分けデータ記憶部１６５と、表示器である表示部１７０と、放送受信部１０８と、ＩＰＴＶ（Internet  Protocol  TeleVision）接続部１８０とを備えており、ＩＰＴＶサーバ２００とネットワークを介して接続されている。また、表示処理装置１００は、ＡＳＩＣやＣＰＵ等の処理装置（制御部）、表示処理装置１００の動作を制御する所定のプログラムが格納されたＲＯＭや当該処理装置のワーク領域となるＲＡＭ等の記憶装置（記憶部）を備えており（何れも不図示）、当該処理装置と記憶装置に格納されたプログラムとの協働により、電子番組表記憶部１５０と、録画番組記憶部１６０と、グループ分けデータ記憶部１６５と、操作受付部１０１と、メタデータ検索部１０２と、メタデータ取得部１０３と、関連度算出部１０４と、表示情報生成部１０５と、表示制御部１０６と、映像再生部１０７と、グループ分け部１１０との各機能部を実現する。
【００１５】
ＩＰＴＶサーバ２００は、ＩＰを利用してテレビ番組や映画などの映像を配信するサービスを提供するサーバであり、表示処理装置１００からの要求により、当該映像等のコンテンツ、該コンテンツのメタデータを配信する。
【００１６】
ＩＰＴＶ接続部１８０は、表示処理装置１００とＩＰＴＶサーバ２００とを接続するインターフェースである。
【００１７】
電子番組表記憶部１５０は、電子番組表（ＥＰＧ：Electronic  Program  Guide）を管理・配信している外部サーバから取得した電子番組表を記憶するＨＤＤやメモリ等の記憶媒体である。具体的には、インターネットなどのネットワーク網に接続されたサービス提供者のサーバ装置から、通信部（不図示）を介してＴＶ、ＣＡＴＶ、ＣＳ放送、ＢＳ放送などの電子番組表を取得し、取得した電子番組表を記憶している。ここで、電子番組表には、現在から未来のある時点（例えば、１週間後）までに放送される番組に関する情報が含まれているものとする。
【００１８】
録画番組記憶部１６０は、映像等のコンテンツを記憶するＨＤＤやメモリ等の記憶媒体である。例えば、表示処理装置１００がＨＤＤを備えたＴＶとして機能する場合は、録画番組記憶部１６０は、ＴＶ番組等を録画した映像のコンテンツを記憶することになる。また、ＤＶＤ（Digital  Versatile  Disk）の映像や、ビデオカメラで撮像した映像等をコンテンツとしてもよい。
【００１９】
また、録画番組記憶部１６０は、コンテンツ毎に当該コンテンツに関するメタデータを関連付けて記憶している。ここで「メタデータ」とは、各コンテンツに固有の特性を示した情報群であって、各コンテンツのタイトルや放送日時等が含まれる。例えば、コンテンツがＴＶ番組の場合には、ＴＶ番組のタイトル、チャンネルや放送日時、出演者、番組内容、ジャンル等の情報（番組情報）がメタデータとなり、コンテンツとともこのメタデータが提供され、録画番組記憶部１６０に記憶される。
【００２０】
図２は、ＴＶ番組をコンテンツとした場合におけるメタデータの一例を示す説明図である。図２に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００２１】
なお、上記では、メタデータが予め設定された状態で提供される態様を説明したが、これに限定されることなく、リモートコントローラ（以下、リモコンという。）９０などの入力装置などを介してユーザから入力された情報をメタデータとして、コンテンツと関連付けて録画番組記憶部１６０に記憶する態様としてもよい。
【００２２】
表示部１７０は、文字や画像を表示する液晶画面（ＬＣＤ）などであり、受信したＴＶ番組などのコンテンツや記憶されているコンテンツ、電子番組表などを表示するものである。また、表示部１７０は、ユーザがコンテンツの検索を行うために、後述する表示情報生成部１０５により生成されたコンテンツの内容を表わす表示情報を表示する（図３−１、３−２参照）。
【００２３】
放送受信部１０８は、ＴＶ放送により放送された映像のコンテンツ（ＴＶ番組）を、アンテナやケーブル（不図示）を介して受信するものである。
【００２４】
映像再生部１０７は、ユーザが再生を所望する映像のコンテンツ、すなわち放送受信部１０８により受信したＴＶ番組などのコンテンツ、ＩＰＴＶ接続部１８０を介してＩＰＴＶサーバ２００から取得した映像のコンテンツ、または録画番組記憶部１６０に記憶されている映像のコンテンツを取得して、取得したコンテンツをデコード（再生）して表示制御部１０６に送出するものである。
【００２５】
操作受付部１０１は、操作受付手段として機能するものであり、操作機器が操作されたことを認識し、その操作を受け付けるものである。操作機器としては、例えば、操作ボタンが設けられたリモコン９０や、キーボード（不図示）、マウス等であり、リモコン９０での操作は操作ボタンの押下であり、キーボードでの操作はキーの操作であり、マウスでの操作はマウスの移動や操作ボタンの押下等である。そして、例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、操作機器でユーザが選択すると、操作受付部１０１は、このキーコンテンツの選択操作を受け付ける。また、再生中のコンテンツをキーコンテンツとしてもよく、その場合には、コンテンツの再生中に操作機器をユーザが操作した場合、操作受付部１０１は、その再生中のコンテンツをキーコンテンツとする選択操作、すなわちコンテンツの検索を行う旨の操作を受け付ける。また、詳細は後述するが、操作受付部１０１は、表示部１７０に表示された複数のコンテンツの表示情報が表示された一覧情報から、注目するコンテンツ（注目コンテンツ）の表示情報に対する指示操作を受け付ける。
【００２６】
メタデータ取得部１０３は、メタデータ取得手段として機能するものであり、操作受付部１０１により、キーコンテンツの選択操作を受け付けた場合、全てのコンテンツ（キーコンテンツおよびキーコンテンツ以外の他のコンテンツ）のメタデータを取得するものである。具体的には、例えば、メタデータ取得部１０３は、コンテンツのメタデータを録画番組記憶部１６０から取得する。また、メタデータ取得部１０３は、ＩＰＴＶサーバ２００に対してコンテンツのメタデータを要求して、該メタデータを取得する。さらに、メタデータ取得部１０３は、電子番組表記憶部１５０に記憶されている電子番組表からコンテンツのメタデータを取得する。
【００２７】
メタデータ検索部１０２は、操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したキーコンテンツのコンテンツのメタデータから、関連度算出部１０４によりメタデータとの関連度を算出する対象となる他のコンテンツのメタデータを検索し、検索した他のコンテンツのメタデータを関連度算出部１０４に送出する。
【００２８】
また、メタデータ検索部１０２は、操作受付部１０１により、キーコンテンツの選択操作を受け付けた場合、メタデータ取得部１０３により取得した全てのコンテンツのメタデータを表示情報生成部１０５に送出する。
【００２９】
関連度算出部１０４は、関連度算出手段として機能するものであり、メタデータ検索部１０２から送出された選択されたキーコンテンツのメタデータと他のコンテンツのメタデータとに基づいて、キーコンテンツに対する他のコンテンツ各々の関連度であるコンテンツ関連度を、メタデータに含まれる項目、例えば、タイトル、チャンネルごとに算出するものである。具体的に、コンテンツ関連度ＲＭの算出は、下記式（１）を用いて算出する。
【数１】
2011008694.tif 000003
【００３０】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００３１】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００３２】
すると、キーコンテンツに対する他のコンテンツのコンテンツ関連度ＲＭは、下記に示した５つの関連度ＲＭ1〜ＲＭ5の重み付き線形和で表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００３３】
ｆａ1は、例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００３４】
なお、ここでは、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００３５】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００３６】
ｆａ2は、例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００３７】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００３８】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００３９】
ｆａ3は、例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ２／２を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００４０】
ｆａ4は、例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００４１】
ｆａ5は、ｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００４２】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００４３】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００４４】
表示情報生成部１０５は、メタデータ検索部１０２から送出されたキーコンテンツのメタデータおよび他のコンテンツのメタデータから、キーコンテンツおよび他のコンテンツの内容を表わす表示情報を生成するものである。具体的には、例えば、表示情報生成部１０５は、コンテンツが録画番組記憶部１６０に記憶された映像データのメタデータに基づいて、当該映像データの代表画像にタイトル等を付随させることで、表示部１７０に表示可能とした表示情報を生成する。また、例えば、表示情報生成部１０５は、コンテンツがＩＰＴＶサーバ２００から取得した映像データのメタデータに基づいて、当該映像データの代表画像にタイトル等を付随させることで、表示部１７０に表示可能とした表示情報を生成する。また、例えば、表示情報生成部１０５は、電子番組表記憶部１５０に記憶された電子番組表に基づいて、ＴＶ番組のタイトル、放送日時、チャンネル、番組内容等を、表示部１７０に表示可能とした表示情報を生成する。
【００４５】
ここで、表示情報の詳細について説明する。図３−１、３−２は、コンテンツの内容を表わす表示情報の一例を示す図である。図３−１では、例えば、録画番組記憶部１６０に記憶された映像データのメタデータに基づいて生成されたキーコンテンツの表示情報Ｃ１である。同図に示すように、キーコンテンツの表示情報Ｃ１は、Ｃ１−１にそのコンテンツの代表画像が表示され、Ｃ１−２にそのコンテンツ（映像）のタイトル「Ｌ３５８△＊６」が表示されている。また、図３−２では、例えば、電子番組表に基づいて生成されたキーコンテンツの表示情報Ｃ１である。同図に示すように、キーコンテンツの表示情報Ｃ１は、Ｃ１−３にチャンネルが表示され、Ｃ１−４にそのコンテンツ（映像）のタイトル「お昼のコメディーショー」、番組内容「今旬の〜世界にいざなう」が表示され、Ｃ１−５に放送日時が表示されている。
【００４６】
表示制御部１０６は、表示制御手段として機能するものであり、映像再生部１０７により送出されたコンテンツを表示部１７０に再生表示するものである。
【００４７】
また、表示制御部１０６は、上述したように操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した一覧情報を表示する。ここで、表示処理装置１００は、一覧情報の表示態様として第１の表示モードおよび第２の表示モードの２つの表示モードを備えている。これらの表示モードの切替は、ユーザによって操作機器が操作されることで行われる。
【００４８】
まず、第１の表示モードについて説明する。この第１の表示モードでは、一覧情報は、キーコンテンツの表示情報を所望の位置に配置するとともに、当該キーコンテンツの表示情報の位置を中心に同心形状に形成された複数の多角形上であって、リモコン９０に設けられた操作ボタンとしての例えば十字キーや、キーボードの例えば十字キーによる操作方向に沿う形状で、他のコンテンツの表示情報をそれぞれ配置したものである。また、一覧情報では、他のコンテンツ表示情報は、中心から放射方向に向けて項目ごとに分別された所定領域に、中心近傍からコンテンツ関連度の高い順にそれぞれ配置される。また、一覧情報は、キーコンテンツの表示情報の表示サイズを最大とし、中心近傍から離れるに従って他のコンテンツの表示情報の表示サイズを小さくして表示される。この表示情報の表示動作の詳細について、図面を参照して説明する。図４−１〜図８は、表示情報の表示動作の詳細に関する説明図である。
【００４９】
まず、図４−１に示すように、表示制御部１０６は、キーコンテンツの表示情報Ｃ１を所望の位置に配置し、キーコンテンツの表示情報Ｃ１を中心にｘ軸正方向、ｘ軸負方向、ｙ軸正方向、ｙ軸負方向の４軸（軸１〜４）を設定し、選択されたキーコンテンツのメタデータに含まれている項目を各軸に割り当てて配置する。図２を参照すると、例えば、メタデータに含まれる項目としては、ＴＶ番組（コンテンツ）の「タイトル」、出演者を示す「人物」、番組内容に含まれる検索を行う際の「キーワード」、ＴＶ番組の「ジャンル」などを割り当てる。この各軸に割り当てた項目は、ユーザがキーコンテンツに関連する他のコンテンツを検索する際の指標として用いることができる。
【００５０】
そして、表示制御部１０６は、図４−２に示すように、各項目を示す各軸をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を生成する。
【００５１】
次に、表示制御部１０６は、図５に示すように、キーコンテンツの表示情報Ｃ１の位置を中心とした同心形状に形成された複数の８角形Ｆ１、Ｆ２…上であって、リモコン９０の操作ボタンやキーボードキーによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００５２】
このとき、表示制御部１０６は、図６に示すように、他のコンテンツの表示情報を、キーコンテンツの表示情報Ｃ１が配置されている中心近傍から外側に向かって、キーコンテンツとのコンテンツ関連度の高い順に配置する。すなわち、表示制御部１０６は、図５で示すと、８角形Ｆ１上に、最もキーコンテンツとのコンテンツ関連度が高い他のコンテンツの表示情報を配置し、さらに、Ｆ２、Ｆ３…（不図示）上に、コンテンツ関連度の高い順に他のコンテンツの表示情報を配置していく。
【００５３】
また、表示制御部１０６は、先に分別した表示領域の項目ごとに、キーコンテンツとのコンテンツ関連度が高い順に他のコンテンツの表示情報を配置していく、即ち、表示制御部１０６は、他のコンテンツを各表示領域の項目（各軸の項目）毎に分類する。表示制御部１０６は、図７に示すように、境界線Ｂ１と境界線Ｂ４とで囲まれた領域１、境界線Ｂ１と境界線Ｂ２とで囲まれた領域２、境界線Ｂ２と境界線Ｂ３とで囲まれた領域３、および境界線Ｂ３と境界線Ｂ４とで囲まれた領域４に割り当てられた領域の項目ごとに、図７の表示情報上に示した数字の順番で他のコンテンツの表示情報を配置することで、項目ごとにキーコンテンツとのコンテンツ関連度が高い順に中心近傍から他のコンテンツの表示情報を配置できる。
【００５４】
なお、表示情報Ｃ１１、２１、４１は、領域１または領域２のいずれにも属することができる位置であるが、例えば、キーコンテンツに対するコンテンツ関連度が所定の閾値よりも高い他のコンテンツをより多く有する項目の領域に属するように設定できる。つまり、図７における表示情報Ｃ１１、２１、４１は、領域１の項目より、領域２の項目の方が、所定の閾値より高いコンテンツ関連度を有する他のコンテンツをより多く存在するため、領域２に属している。また、表示情報Ｃ１３、２５、４７、１５、２９、５３、１７、３３、５９についても同様である。
【００５５】
なお、ここでは、各境界線付近に表示される表示情報を、キーコンテンツとのコンテンツ関連度の高さによりいずれの項目の領域に属するかを判断しているが、これに限定されることなく、例えば、キーコンテンツとの関連する他のコンテンツの総数が多い項目の領域に、各境界線付近に表示される表示情報を属するように構成してもよい。
【００５６】
また、図８に示すように、表示制御部１０６は、キーコンテンツの表示情報の表示サイズを最大とし、中心近傍から離れるに従って他のコンテンツの表示情報の表示サイズを小さくして表示する。また、表示制御部１０６は、他のコンテンツの表示情報が複数の領域に属する場合、いずれか一つの領域に表示する。具体的には、表示制御部１０６は、他のコンテンツの表示情報が領域１、２の両領域に属する場合、キーコンテンツに対するコンテンツ関連度が最も高い項目の領域に表示する。
【００５７】
表示制御部１０６は、このようにしてキーコンテンツの表示情報Ｃ１と他のコンテンツの表示情報Ｃ１１〜を配置した一覧情報を生成し、生成した一覧情報を表示部１７０に表示する。なお、表示情報の配置位置および表示サイズは、予め表示制御部１０６が記憶しており、キーコンテンツに対するコンテンツ関連度を算出した後に、他のコンテンツの表示情報を所定の表示サイズにして順番に配置していく。図９は、第１の表示モードでのキーコンテンツの表示情報Ｃ１と他のコンテンツの表示情報Ｃ１１〜を配置した一覧情報の一例を示す図である。図９の一覧情報では、上側に「タイトル」、右側に「人物」、下側に「キーワード」、左側に「ジャンル」の項目が表示されており、キーコンテンツの表示情報Ｃ１を中心位置として、他のコンテンツの表示情報が中心近傍から外側に向けて配置されている。
【００５８】
また、本実施の形態では、上下左右の操作方向に沿う形状で他のコンテンツの表示情報を配置したため、例えば、検索中における注目コンテンツが表示情報Ｃ３０であった場合に、リモコン９０の操作ボタンやキーボードキーにより左右の指示操作を受け付けると、矢印Ａのように注目コンテンツが変わっていく。また、検索中における注目コンテンツが表示情報Ｃ３０であった場合に、リモコン９０の操作ボタンやキーボードキーにより上下の指示操作を受け付けると、矢印Ｂのように注目コンテンツが変わっていく。また、例えば、注目コンテンツが表示情報Ｃ１１であった場合に、指示操作を受け付けて右にカーソル１つ分移動すると、表示情報Ｃ３６へ注目コンテンツが変わる。同じく、上にカーソル１つ分移動すると表示情報Ｃ２２へ、左にカーソル１つ分移動すると表示情報Ｃ１２へ、下にカーソル１つ分移動すると表示情報Ｃ１８へ注目コンテンツが変わることになる。これより、リモコン９０の十字キーなどの操作ボタンやキーボードの十字キーなどのキーからの指示操作が行いやすくなる。
【００５９】
次に、以上のように構成された表示処理装置１００による第１の表示モードでの表示情報の表示処理について説明する。図１０は、表示処理装置１００による第１の表示モードでの表示情報の表示処理の流れを示すフローチャートである。
【００６０】
まず、操作受付部１０１は、操作機器から、キーコンテンツの選択操作を受け付けるまで待機する（ステップＳ１０：Ｎｏ）。選択操作を受け付けた場合（ステップＳ１０：Ｙｅｓ）、メタデータ取得部１０３は、選択されたキーコンテンツのメタデータを取得する（ステップＳ１１）。次に、メタデータ取得部１０３は、キーコンテンツ以外の他のコンテンツのメタデータを取得する（ステップＳ１２）。
【００６１】
そして、関連度算出部１０４により、キーコンテンツに対する他のコンテンツ各々のコンテンツ関連度を、メタデータに含まれる項目ごとに算出する（ステップＳ１３）。そして、表示制御部１０６は、キーコンテンツに対する他のコンテンツ各々のコンテンツ関連度に応じて、キーコンテンツおよび他のコンテンツの表示情報を配置した一覧情報を生成し（ステップＳ１４）、生成した一覧情報を表示部１７０に表示する（ステップＳ１５）。
【００６２】
このように、検索のキーとなるキーコンテンツの表示情報の位置を中心に同心形状に形成された複数の多角形上であって、操作ボタンやキーボードキーによる操作方向に沿う形状で、中心近傍からコンテンツ関連度の高い順に、他のコンテンツの表示情報をそれぞれ配置した一覧情報を表示することで、ユーザはリモコン９０やキーボードからの操作により、膨大なコンテンツからキーコンテンツに関連するコンテンツを容易に検索できることになる。
【００６３】
次に、第２の表示モードについて説明する。第２の表示モードでは、キーコンテンツに対する他のコンテンツ各々のコンテンツ関連度を算出し、他のコンテンツを複数の領域（各項目）に分類する点は、第１の表示モードと同様であるが、他のコンテンツをグループ分けして表示する点が第１の表示モードに対して異なる。この第２の表示モードでは、グループ分け部１１０およびグループ分けデータ記憶部１６５が処理に加わる。
【００６４】
グループ分けデータ記憶部１６５は、単語の重要度（以後、単語重要度ともいう）を単語毎に記憶しているものである。単語重要度は、予め設定されたものであり、その重要度は数字で表され、その値が大きいほど重要度が大きい。例えば、「スポーツ」、「野球」という各単語の重要度は、「スポーツ」よりも「野球」の方が大きく設定されている。
【００６５】
グループ分け部１１０は、グループ分け手段として機能するものであり、コンテンツ関連度の算出にかかる項目の内容に基づいて複数種類の他のコンテンツを複数のグループに分けるものである。具体的には、グループ分け部１１０は、他のコンテンツのメタデータのうちグループ分けの基準となる基準項目（第１関連キーワード）を他のコンテンツ毎に特定し、その基準項目が同じ他のコンテンツ同士を同一のグループとする。基準項目の特定は、他のコンテンツのメタデータであってコンテンツ関連度の算出に用いた単語のうち最も単語重要度が高いものを基準項目とする。この際、グループ分け部１１０は、グループ分けデータ記憶部１６５を検索することで各単語の重要度を取得し、各単語の重要度を比較してどの単語が最も重要度が高いかを判断する。
【００６６】
ここで、本実施の形態にあっては、グループ分け部１１０は、グループ分け処理を、先に分別した表示領域の項目（各軸１〜４に割り当てた項目）毎に行う。具体的には、関連度算出部１０４がキーコンテンツに対する他のコンテンツ各々のコンテンツ関連度を算出した後、グループ分け部１１０は、他のコンテンツを各表示領域の項目（各軸の項目）毎に分類する。この分類処理は、第１の表示モードでの表示制御部１０６が行う処理と基本的に同じであり、表示をしない点が異なる。そして、グループ分け部１１０は、各表示領域の項目に属する単語の中から基準項目を決定する。例えば、項目が「ジャンル」であれば、「スポーツ」、「野球」、「サッカー」等のジャンルに係わる単語を基準項目の候補とし、その候補とした単語の単語重要度を調査して最も重要度の高い単語を基準項目として決定する。そして、グループ分け部１１０は、基準項目が同じ他のコンテンツ同士を同一のグループに分類する。これにより、例えば、基準項目が「サッカー」のグループ、基準項目が「野球」のグループ等の複数のグループが生成される。
【００６７】
また、グループ分け部１１０は、キーコンテンツに対する各グループの関連度であるグループ関連度を算出する。このグループ関連度は、例えば、各表示領域の項目（つまり、各軸の項目）単位で行う。グループ関連度の算出は、例えば、各グループ毎に、そのグループの中でキーコンテンツとのコンテンツ関連度が最も高い他のキーコンテンツのコンテンツ関連度を取得し、そのコンテンツ関連度の高さ順にグループを順位付けし、この順位をグループ関連度として設定する。この場合、順位が上位なほどグループ関連度が高くなる。また、別例として、グループ関連度の算出は、グループ内の全ての他のコンテンツのキーコンテンツに対するコンテンツ関連度の総和が高い順に各グループを順位付けし、この順位をグループ関連度として設定する。この場合も順位が上位なほどグループ関連度が高くなる。また、グループ関連度の算出は、例えば、グループ内の他のコンテンツ数が多い順にグループを順位付けし、この順位をグループ関連度として設定してもよい。この場合も、順位が上位なほどグループ関連度が高くなる。
【００６８】
この第２の表示モードにおける表示情報の表示動作の詳細について、図１１を参照して説明する。図１１は、第２の表示モードにおけるキーコンテンツの表示情報と他のコンテンツの表示情報を配置した一覧情報の一例を示す図である。
【００６９】
この第２の表示モードでは、各軸を含む所定の表示領域（領域１〜４（図７参照））を生成し、それらの表示領域に対して他のコンテンツの表示情報を配置する点等は、第１の表示モードと同じであるので、ここでは、第１の表示モードと異なる点を中心に説明する。
【００７０】
第２の表示モードでは、表示制御部１０６は、図１１に示すように、キーコンテンツの表示情報Ｃ１とこのキーコンテンツの表示情報Ｃ１の周囲にグループＧ１〜Ｇ１２毎に分けて配置した他のコンテンツの表示情報（Ｃ９１，Ｃ９２等）とを含む一覧情報を表示部１７０に表示する。このとき、表示制御部１０６は、キーコンテンツの表示情報Ｃ１を中心として放射方向に向かって項目毎に分別された領域１〜４に、項目毎の他のコンテンツの表示情報（Ｃ９１，Ｃ９２等）を配置する。図１１には、領域１に人物１〜３に関する３つのグループＧ１〜Ｇ３を表示し、領域２にタイトル１〜３に関する３つのグループＧ４〜Ｇ６を表示し、領域３にジャンル１〜３に関する３つのグループＧ７〜Ｇ９を表示し、領域４にキーワード１〜３に関する３つのグループＧ１０〜Ｇ１２を表示した例を示してある。なお、図１１では、説明の便宜上、グループＧ１〜Ｇ１２の領域を仮想線で示すとともに、各グループＧ１〜Ｇ１２の名称（人物１や、タイトル１等）を記載してあるが、これらは実際には表示しない。
【００７１】
また、表示制御部１０６は、キーコンテンツの表示情報Ｃ１の位置からグループ関連度の高い順にグループＧ１〜Ｇ１２を配置する。即ち、第２の表示モードの一覧情報は、キーコンテンツの表示情報とこのキーコンテンツの表示情報の周囲にグループ毎に分けて配置した他のコンテンツの表示情報とを含む一覧情報であってキーコンテンツの表示情報の位置からグループ関連度の高い順にグループが位置するものである。図１１の例では、例えば、領域２では、タイトル３のグループＧ６、タイトル２のグループＧ５、タイトル１のグループＧ４の順にグループ関連度が高くなっており、タイトル１のグループＧ４、タイトル２のグループＧ５、タイトル３のグループＧ６の順でキーコンテンツの表示情報Ｃ１の位置に対して近い位置に配置されている。このとき、キーコンテンツの表示情報Ｃ１と各グループＧ１〜Ｇ１２との距離の大小を決める場合の距離としては、例えば、それらの間の最短距離や、グループＧ１〜Ｇ１２内で最もキーコンテンツの表示情報Ｃ１に近い他のコンテンツの表示情報の中心位置と、キーコンテンツの表示情報Ｃ１の中心位置との間の距離などを用いることができる。
【００７２】
また、表示制御部１０６は、グループＧ１〜Ｇ１２内においてコンテンツ関連度の高い順に、他のコンテンツの表示情報をキーコンテンツの表示情報Ｃ１の近くに配置する。例えば、図１１では、タイトル２のグループＧ５にあっては、Ｃ９１のコンテンツの表示情報よりもＣ９２のコンテンツの表示情報Ｃ９２の方がコンテンツ関連度が高く、コンテンツの表示情報Ｃ９１よりもコンテンツの表示情報Ｃ９２がキーコンテンツの表示情報Ｃ１の近くに配置されている。
【００７３】
次に、以上のように構成された表示処理装置１００による第２の表示モードでの表示情報の表示処理について説明する。図１２は、表示処理装置１００による第２の表示モードでの表示情報の表示処理の流れを示すフローチャートである。
【００７４】
表示処理装置１００は、まず、第１の表示モードと同じく、ステップＳ１０〜ステップＳ１３までの処理を実行し、ステップＳ１６に進む。ステップＳ１６では、グループ分け部１１０が、コンテンツ関連度の算出にかかる項目の内容に基づいて複数種類の他のコンテンツを複数のグループに分けするとともに、キーコンテンツに対するグループの関連度であるグループ関連度を算出する。
【００７５】
そして、表示制御部１０６は、キーコンテンツの表示情報とこのキーコンテンツの表示情報の周囲にグループ毎に分けて配置した他のコンテンツの表示情報とを含む一覧情報を生成し（ステップＳ１７）、生成した一覧情報を表示部１７０に表示する（ステップＳ１８）。
【００７６】
また、表示制御部１０６は、さらに、スクロール部（図示せず）を備えており、さらに以下の機能を備えている。操作受付部１０１により、操作機器が操作されることで、注目するコンテンツ（注目コンテンツ）の表示情報を指示する指示操作を受け付けた場合、スクロール部は、その操作方向に一覧情報を所定の表示範囲で移動することでスクロールするものである。このとき、表示制御部１０６は、スクロール部のスクロールによる一覧情報の移動量に関わらず、キーコンテンツの表示情報の表示範囲内への表示を維持する。また、表示制御部１０６は、操作機器からの操作により指示されて注目コンテンツとなった他のコンテンツの表示情報の表示サイズを、指示されていない他のコンテンツの表示情報の表示サイズより大きくして表示する。
【００７７】
以上説明したように、本実施の形態では、表示処理装置１００が、キーコンテンツの表示情報とこのキーコンテンツの表示情報の周囲にグループ毎に分けて配置した他のコンテンツの表示情報とを含む一覧情報を表示部１７０に表示するので、ユーザは、操作機器からの操作により、膨大なコンテンツからキーコンテンツに関連するコンテンツを容易に検索できる。また、ある一つの基準項目に興味を持ったユーザは、少ない操作でその基準項目を有する全てのコンテンツに辿り着くことができる。
【００７８】
また、本実施の形態では、本実施の形態では、表示処理装置１００が、キーコンテンツの表示情報の位置からグループ関連度の高い順にグループを配置するので、ユーザは、膨大なコンテンツからキーコンテンツに関連するコンテンツをより容易に検索できる。
【００７９】
また、本実施の形態では、表示処理装置１００が、グループ内においてコンテンツ関連度の高い順に、他のコンテンツの表示情報を前記キーコンテンツの表示情報の近くに配置するので、ユーザは、膨大なコンテンツからキーコンテンツに関連するコンテンツをより容易に検索できる。
【００８０】
本実施の形態の表示処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【００８１】
また、本実施の形態の表示処理装置で実行されるプログラムを、インターネット等のネットワークに接続されたコンピュータ上に格納し、ネットワーク経由でダウンロードさせることにより提供するように構成しても良い。また、本実施の形態の表示処理装置で実行されるプログラムをインターネット等のネットワーク経由で提供または配布するように構成しても良い。
【００８２】
また、本実施の形態の表示処理プログラムを、ＲＯＭ等に予め組み込んで提供するように構成してもよい。本実施の形態の表示処理装置で実行される表示処理プログラムは、上述した各部（操作受付部１０１、メタデータ検索部１０２、メタデータ取得部１０３、関連度算出部１０４、表示情報生成部１０５、表示制御部１０６、映像再生部１０７、放送受信部１０８、グループ分け部１１０）を含むモジュール構成となっており、実際のハードウェアとしてはＣＰＵ（プロセッサ）が上記記憶媒体から表示処理プログラムを読み出して実行することにより上記各部が主記憶装置上にロードされ、操作受付部１０１、メタデータ検索部１０２、メタデータ取得部１０３、関連度算出部１０４、表示情報生成部１０５、表示制御部１０６、映像再生部１０７、放送受信部１０８、グループ分け部１１０が主記憶装置上に生成されるようになっている。
【００８３】
［第２の実施の形態］
次に、本発明の第２の実施の形態を図１３および図１４に基づいて説明する。なお、第１の実施の形態と同じ部分には同一符号を付与し、重複する説明は省略する。
【００８４】
本実施の形態は、基本的には第１の実施の形態と同じであるが、操作受付部１０１と表示情報生成部１０５と表示制御部１０６との処理の内容が第１の実施の形態に対して異なる。なお、以下では、グループを特段に区別することなく説明する場合には、グループに符号Ｇを付与することとする。
【００８５】
表示情報生成部１０５は、グループの範囲を示すグループ範囲情報を生成する。
【００８６】
操作受付部１０１は、コンテンツのグループを示すグループ範囲情報を非表示にする指示操作を受け付ける。指示操作は、全てのグループ範囲情報を非表示にする操作又は特定のグループ範囲情報を非表示にする操作である。この操作は、操作機器によって行われる。
【００８７】
表示制御部１０６は、図１３に示すように、グループ範囲情報Ｈを表示した一覧情報を、表示部１７０に表示する。図１３の例では、グループ範囲情報Ｈとして、グループＧに属するコンテンツの情報表示（例えばＣ９１，Ｃ９２）上に重ねて配置されてそれらコンテンツの情報表示（例えばＣ９１，Ｃ９２）を覆うエリア情報Ｈａ、グループの名称としてそのグループの基準項目を示すグループ名称Ｈｂを含んでいる。エリア情報Ｈａは、他のコンテンツの情報表示に対してオーバレイ表示される。このように、コンテンツの情報表示上にグループ範囲情報Ｈを重ねて配置することで、コンテンツの情報表示の表示内容をユーザに認識させることができる。また、エリア情報Ｈａは、各領域（軸）毎に色が異なっている。なお、グループ範囲情報Ｈを表示する場合、他のコンテンツの情報表示を表示しなくても良い。このようにすることにより、表示内容を少なくしてより見やすい表示とすることができる。
【００８８】
表示制御部１０６は、全てのグループ範囲情報Ｈを非表示にする操作を操作受付部１０１が受け付けた場合、全てのグループ範囲表示Ｈを非表示にする（図１１の状態）。
【００８９】
また、表示制御部１０６は、特定のグループ範囲情報Ｈを非表示にする操作を操作受付部１０１が受け付けた場合、特定のグループ範囲情報Ｈを非表示にする。例えば、図１４では、注目コンテンツとしてコンテンツの表示情報Ｃ９１が選択されており、複数のグループ範囲情報Ｈの内、注目コンテンツ（コンテンツの表示情報Ｃ９１）を含むタイトル２のグループＧ５のグループ範囲情報Ｈ（図１３）だけが非表示となっている。このように、本実施の形態では、注目コンテンツの表示情報を含むグループのグループ範囲情報Ｈを非表示にし、他のグループ範囲情報Ｈを表示するようにしており、注目コンテンツが変われば、その変更に応じてグループ範囲情報Ｈの表示・非表示も変更するようにしてある。
【００９０】
このような構成の表示処理装置１００による表示情報の表示処理は、基本的には図１２のフローチャートに沿って実行され、ステップＳ１７において、表示情報生成部１０５がグループ範囲情報を生成し、ステップＳ１８において、表示制御部１０６がグループ範囲情報Ｈを含む一覧情報を表示部１７０に表示する。
【００９１】
以上説明したように、本実施の形態では、表示処理装置１００が、グループの範囲を示すグループ範囲情報Ｈを表示することにより、ユーザがグループＧを容易に認識することができ、探索するための情報を絞りやすくなるので、ユーザは操作機器からの操作により、膨大なコンテンツからキーコンテンツに関連するコンテンツを容易に検索できる。
【００９２】
また、本実施の形態では、表示処理装置１００は、グループＧに対応する基準項目をグループ範囲情報Ｈに含ませて表示するので、グループＧが何に関するグループＧであるのかをユーザが容易に把握することができる。
【００９３】
また、本実施の形態では、表示処理装置１００は、グループ範囲情報Ｈを非表示にする操作を受け付けた場合、グループ範囲表示Ｈを非表示にするので、ユーザは、興味があるグループＧ内のコンテンツの内容を容易に把握することができる。この場合、全てのグループ範囲情報Ｈを非表示にすることで、ユーザに多くのコンテンツの内容を提供することができる。一方、特定のグループ範囲情報Ｈを非表示にすることにより、ユーザに必要最小限の情報だけを提供することができる。
【００９４】
［第３の実施の形態］
次に、本発明の第３の実施の形態を図１５−１ないし図１８に基づいて説明する。なお、第１および第２の実施の形態と同じ部分には同一符号を付与し、重複する説明は省略する。
【００９５】
本実施の形態は、基本的には第２の実施の形態と同じであるが、一覧情報を仮想球体上に配置する点と、ズーム操作に応じて表示内容を変更する点とが主に第２の実施の形態に対して異なる。
【００９６】
操作受付部１０１は、ズームイン操作とズームアウト操作とを受け付ける。これら各操作は、操作機器ユーザの操作によってなされる。
【００９７】
表示情報生成部１０５は、表示情報として、標準表示情報とこの標準表示情報よりも情報量が多い詳細表示情報との２種類を生成する。ここで、図１５−１は、標準表示情報の一例を示す図、図１５−２は、詳細表示情報の一例を示す図である。なお、ここでは、キーコンテンツと他のコンテンツとの表示情報を特段に区別せずに、コンテンツの標準表示情報の符号としてＣａを使用し、コンテンツの詳細表示情報の符合としてＣｂを使用する。図１５−１に示すように、コンテンツの標準表示情報Ｃａには、タイトルＣａ−１、サムネイル形式の代表画像Ｃａ−２、複数のアイコンＣａ−３が表示されている。アイコンＣａ−３は、例えば、ジャンルや放送局等に関するアイコンである。これに対して、コンテンツの詳細表示情報Ｃｂには、タイトルＣｂ−１、サムネイル形式の代表画像Ｃｂ−２、複数のアイコンＣｂ−３に加えて、詳細情報Ｃｂ−４および日時Ｃｂ−５が表示されている。詳細情報Ｃｂ−４は、当該コンテンツの内容を文字情報で示した詳細情報であり、日時Ｃｂ−５は、当該コンテンツの録画日時や放送日時である。このコンテンツの詳細表示情報Ｃｂでは、タイトルＣｂ−１、代表画像Ｃｂ−２および複数のアイコンＣｂ−３の表示の大きさを、それぞれ対応する標準表示情報ＣａのタイトルＣａ−１、代表画像Ｃａ−２および複数のアイコンＣａ−３の表示の大きさよりも小さくすることで、詳細情報Ｃｂ−４および日時Ｃｂ−５の表示領域を確保している。
【００９８】
表示制御部１０６は、操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した一覧情報を、図１６に示すように、仮想球体Ｊ上に配置して、表示部に１７０に表示する。これは、ズームイン操作およびズームアウト操作が無い場合の表示である。ところで、第１および第２の実施の形態では、キーコンテンツの表示情報Ｃ１の位置を中心として複数形成した同心形状として８角形の例を説明したが、本実施の形態では四角形を採用している。
【００９９】
そして、表示制御部１０６は、ズームイン操作を操作受付部１０１が受け付けた場合には、図１７に示すように、標準一覧情報に対して他のコンテンツ数を減少させるとともにコンテンツの表示情報として詳細表示情報Ｃｂを採用したズームイン表示を行う。ここで、本実施の形態では、一つのコンテンツの詳細表示情報Ｃｂを拡大して表示するようにしている。また、表示制御部１０６は、ズームアウト操作を操作受付部１０１が受け付けた場合には、図１８に示すように、標準一覧情報に対して他のコンテンツ数を増加させるとともにグループ範囲表示Ｈを仮想球体Ｊ上に表示するズームアウト表示を行う。このズームアウト表示では、キーコンテンツの情報表示および注目コンテンツの情報表示が、仮想球体Ｊの外側の領域にも別に表示されている。
【０１００】
以上説明したように、本実施の形態では、表示処理装置１００は、ズームイン操作およびズームアウト操作が無い場合には、表示情報として標準表示情報を用いた標準一覧情報を表示し、ズームイン操作を受け付けた場合には、標準一覧情報に対して他のコンテンツ数を減少させるとともに表示情報として詳細表示情報を採用したズームイン表示を行い、ズームアウト操作を受け付けた場合には、標準一覧情報に対して他のコンテンツ数を増加させるとともにグループ範囲表示Ｈを表示するズームアウト表示を行う。したがって、ユーザのズームイン操作およびズームアウト操作に応じて、情報量および内容の異なる表示情報を提供することができる。
【０１０１】
また、本実施の形態では、一覧情報を仮想球体Ｊ上に配置したことにより、例えば、ユーザに、一般的になじみのある地球儀上に一覧表示をしたような印象を与えることができ、ユーザは操作を直感的に行い易くなる。
【０１０２】
なお、本発明は、上記各実施の形態に限ることなく本発明の要旨を逸脱しない範囲で他の実施の形態を各種採用することができる。例えば、上記各実施の形態では、基準項目を、グループ分けデータ記憶部１６５に記憶されている単語重要度に基づいて求める例を示したが、これに限ることなく、基準項目を、例えば、コンテンツ関連度を算出する上で、そのコンテンツ関連度に最も寄与した単語としても良い。また、注目コンテンツやキーコンテンツの情報を一覧情報とは別の領域に表示しても良い。また、第３の実施の形態で説明したズームイン操作およびズームアウト操作に応じた表示情報の変更を、第１および第２の実施の形態に適用して良い。
【符号の説明】
【０１０３】
１００  表示処理装置
１０１  操作受付部（操作受付手段）
１０２  メタデータ検索部（メタデータ検索手段）
１０３  メタデータ取得部（メタデータ取得手段）
１０４  関連度算出部（関連度算出手段）
１０５  表示情報生成部（表示情報生成手段）
１０６  表示制御部（表示制御手段）
１１０  グループ分け部（グループ分け手段）
１７０  表示部（表示器）
【図１】
2011008694.tif 000004
【図２】
2011008694.tif 000005
【図３−１】
2011008694.tif 000006
【図３−２】
2011008694.tif 000007
【図４−１】
2011008694.tif 000008
【図４−２】
2011008694.tif 000009
【図５】
2011008694.tif 000010
【図６】
2011008694.tif 000011
【図７】
2011008694.tif 000012
【図８】
2011008694.tif 000013
【図９】
2011008694.tif 000014
【図１０】
2011008694.tif 000015
【図１１】
2011008694.tif 000016
【図１２】
2011008694.tif 000017
【図１３】
2011008694.tif 000018
【図１４】
2011008694.tif 000019
【図１５−１】
2011008694.tif 000020
【図１５−２】
2011008694.tif 000021
【図１６】
2011008694.tif 000022
【図１７】
2011008694.tif 000023
【図１８】
2011008694.tif 000024
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
検索のキーとなるコンテンツであるキーコンテンツの選択操作を受け付ける操作受付手段と、
前記キーコンテンツとは異なる複数の他のコンテンツについて、前記キーコンテンツに対する関連度であるコンテンツ関連度を算出する関連度算出手段と、
前記コンテンツ関連度の算出にかかる項目の内容に基づいて複数の前記他のコンテンツを複数のグループに分けるとともに、前記キーコンテンツに対する前記グループの関連度であるグループ関連度を算出するグループ分け手段と、
前記キーコンテンツおよび前記他のコンテンツの内容を表す表示情報を生成する表示情報生成手段と、
前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示する表示制御手段と、
を備えることを特徴とする表示処理装置。
【請求項２】
前記表示制御手段は、前記グループ内において前記コンテンツ関連度の高い順に、前記他のコンテンツの表示情報を前記キーコンテンツの表示情報の近くに配置する、ことを特徴とする請求項１に記載の表示処理装置。
【請求項３】
前記キーコンテンツのメタデータと前記他のコンテンツのメタデータとを取得するメタデータ取得手段を備え、
前記関連度算出手段は、前記キーコンテンツのメタデータと前記他のコンテンツのメタデータとに基づいて、前記コンテンツ関連度を算出し、
前記グループ分け手段は、前記他のコンテンツのメタデータのうち前記グループ分けの基準となる基準項目を前記他のコンテンツ毎に特定し、前記基準項目が同じ前記他のコンテンツ同士を同一のグループとする、ことを特徴とする請求項１又は２に記載の表示処理装置。
【請求項４】
前記表示制御手段は、前記キーコンテンツの表示情報を中心として放射方向に向かって前記項目毎に分別された領域に、前記項目毎の前記他のコンテンツの表示情報を配置する、ことを特徴とする請求項３に記載の表示処理装置。
【請求項５】
前記表示制御手段は、前記グループの範囲を示すグループ範囲情報を表示する、ことを特徴とする請求項１ないし４のいずれか一項に記載の表示処理装置。
【請求項６】
前記表示制御手段は、前記グループに対応する前記基準項目を含み前記グループの範囲を示すグループ範囲情報を表示する、ことを特徴とする請求項３に記載の表示処理装置。
【請求項７】
前記操作受付手段は、前記グループ範囲情報を非表示にする操作を受け付け、
前記表示制御手段は、前記グループ範囲情報を非表示にする操作を前記操作受付手段が受け付けた場合、前記グループ範囲表示を非表示にする、ことを特徴とする請求項５又は６に記載の表示処理装置。
【請求項８】
前記表示制御手段は、前記グループ範囲情報を非表示にする操作を前記操作受付手段が受け付けた場合、全ての前記グループ範囲情報を非表示にする、ことを特徴とする請求項７に記載の表示処理装置。
【請求項９】
前記操作受付手段は、特定の前記グループ範囲情報を非表示にする操作を受け付け、
前記表示制御手段は、前記特定のグループ範囲情報を非表示にする操作を前記操作受付手段が受け付けた場合、前記特定の前記グループ範囲情報を非表示にする、ことを特徴とする請求項７に記載の表示処理装置。
【請求項１０】
前記操作受付手段は、ズームイン操作とズームアウト操作とを受け付け、
前記表示情報生成手段は、前記表示情報として、標準表示情報とこの標準表示情報よりも情報量が多い詳細表示情報との２種類を生成し、
前記表示制御手段は、前記ズームイン操作および前記ズームアウト操作が無い場合には、前記表示情報として前記標準表示情報を用いた前記一覧情報である標準一覧情報を表示し、前記ズームイン操作を前記操作受付手段が受け付けた場合には、前記標準一覧情報に対して前記他のコンテンツ数を減少させるとともに前記表示情報として前記詳細表示情報を採用したズームイン表示を行い、前記ズームアウト操作を前記操作受付手段が受け付けた場合には、前記標準一覧情報に対して前記他のコンテンツ数を増加させるとともに前記グループ範囲表示を表示するズームアウト表示を行う、ことを特徴とする請求項５に記載の表示処理装置。
【請求項１１】
前記表示制御手段は、仮想球面上に前記一覧情報を配置することを特徴とする請求項１ないし１０のいずれか一項に記載の表示処理装置。
【請求項１２】
コンピュータを、
検索のキーとなるコンテンツであるキーコンテンツの選択操作を受け付ける操作受付手段と、
前記キーコンテンツとは異なる複数の他のコンテンツについて、前記キーコンテンツに対する関連度であるコンテンツ関連度を算出する関連度算出手段と、
前記コンテンツ関連度の算出にかかる項目の内容に基づいて複数の前記他のコンテンツを複数のグループに分けるとともに、前記キーコンテンツに対する前記グループの関連度であるグループ関連度を算出するグループ分け手段と、
前記キーコンテンツおよび前記他のコンテンツの内容を表す表示情報を生成する表示情報生成手段と、
前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示する表示制御手段と、
として機能させるためのプログラム。
【請求項１３】
表示処理装置で実行される表示処理方法であって、
前記表示処理装置は、制御部と記憶部とを備え、
前記制御部で実行される、
操作受付手段が、検索のキーとなるコンテンツであるキーコンテンツの選択操作を受け付けるステップと、
関連度算出手段が、前記キーコンテンツとは異なる複数の他のコンテンツについて、前記キーコンテンツに対する関連度であるコンテンツ関連度を算出するステップと、
グループ分け手段が、前記コンテンツ関連度の算出にかかる項目の内容に基づいて複数の前記他のコンテンツを複数のグループに分けるとともに、前記キーコンテンツに対する前記グループの関連度であるグループ関連度を算出するステップと、
表示情報生成手段が、前記キーコンテンツおよび前記他のコンテンツの内容を表す表示情報を生成するステップと、
表示制御手段が、前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示するステップと、
を含むことを特徴とする表示処理方法。
【手続補正２】
【補正対象書類名】明細書
【補正対象項目名】０００８
【補正方法】変更
【補正の内容】
【０００８】
上述した課題を解決し、目的を達成するために、本発明の表示処理装置は、検索のキーとなるコンテンツであるキーコンテンツの選択操作を受け付ける操作受付手段と、前記キーコンテンツとは異なる複数の他のコンテンツについて、前記キーコンテンツに対する関連度であるコンテンツ関連度を算出する関連度算出手段と、前記コンテンツ関連度の算出にかかる項目の内容に基づいて複数の前記他のコンテンツを複数のグループに分けるとともに、前記キーコンテンツに対する前記グループの関連度であるグループ関連度を算出するグループ分け手段と、前記キーコンテンツおよび前記他のコンテンツの内容を表す表示情報を生成する表示情報生成手段と、前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示する表示制御手段と、を備えることを特徴とする。
【手続補正３】
【補正対象書類名】明細書
【補正対象項目名】０００９
【補正方法】変更
【補正の内容】
【０００９】
また、本発明のプログラムは、コンピュータを、検索のキーとなるコンテンツであるキーコンテンツの選択操作を受け付ける操作受付手段と、前記キーコンテンツとは異なる複数の他のコンテンツについて、前記キーコンテンツに対する関連度であるコンテンツ関連度を算出する関連度算出手段と、前記コンテンツ関連度の算出にかかる項目の内容に基づいて複数の前記他のコンテンツを複数のグループに分けるとともに、前記キーコンテンツに対する前記グループの関連度であるグループ関連度を算出するグループ分け手段と、前記キーコンテンツおよび前記他のコンテンツの内容を表す表示情報を生成する表示情報生成手段と、前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示する表示制御手段と、として機能させる。
【手続補正４】
【補正対象書類名】明細書
【補正対象項目名】００１０
【補正方法】変更
【補正の内容】
【００１０】
また、本発明の表示処理方法は、表示処理装置で実行される表示処理方法であって、前記表示処理装置は、制御部と記憶部とを備え、前記制御部で実行される、操作受付手段が、検索のキーとなるコンテンツであるキーコンテンツの選択操作を受け付けるステップと、関連度算出手段が、前記キーコンテンツとは異なる複数の他のコンテンツについて、前記キーコンテンツに対する関連度であるコンテンツ関連度を算出するステップと、グループ分け手段が、前記コンテンツ関連度の算出にかかる項目の内容に基づいて複数の前記他のコンテンツを複数のグループに分けるとともに、前記キーコンテンツに対する前記グループの関連度であるグループ関連度を算出するステップと、表示情報生成手段が、前記キーコンテンツおよび前記他のコンテンツの内容を表す表示情報を生成するステップと、表示制御手段が、前記キーコンテンツの表示情報とこのキーコンテンツの表示情報を中心として前記キーコンテンツの表示情報の周囲に前記グループ毎に分けて配置した前記他のコンテンツの表示情報とを含む一覧情報であって、前記キーコンテンツの表示情報の位置から前記グループ関連度の高い順に前記グループが位置するとともに、前記グループの名称を表示した一覧情報を表示器に表示するステップと、を含むことを特徴とする。